(57)【要約】【課題】組み立て時に回路基板に接続するリード線が噛み込み難い床面吸込み具を有する電気掃除機を提供すること【解決手段】 課題を解決するにはモーターで駆動する回転ブラシを有する床面吸込み具を備えた電気掃除機において、床面吸込み具は、ケースと、このケースを覆うカバーと、モーターの駆動制御を行う回路基板を有し、回路基板はケースに形成された回路基板搭載部に搭載され、回路基板搭載部は、上方に向けて開口する凹部であり、開口にカバーが設けられ、開口を覆うカバーは、ケースの上面を覆う他のカバーとは別体に構成されて、他のカバーとは独立してケースから着脱可能であるように構成すればよい。【選択図】図１
2015221150.tif 000002
【特許請求の範囲】
【請求項１】
モーターで駆動する回転ブラシを有する床面吸込み具を備えた電気掃除機において、
前記床面吸込み具は、ケースと、該ケースを覆うカバーと、前記モーターの駆動制御を行う回路基板を有し、該回路基板は前記ケースに形成された回路基板搭載部に搭載され、
前記回路基板搭載部は、上方に向けて開口する凹部であり、該開口に前記カバーが設けられ、前記開口を覆うカバーは、前記ケースの上面を覆う他のカバーとは別体に構成されて、他のカバーとは独立してケースから着脱可能であることを特徴とする電気掃除機。
【請求項２】
前記開口を覆うカバーは、他のカバーと色や材質を異ならせたことを特徴とする請求項１に記載の電気掃除機。
【請求項３】
前記回路基板搭載部は、前記床面吸込み具の左右幅の中心に位置していることを特徴とする請求項１又は請求項２のいずれかに記載の電気掃除機。
【発明の詳細な説明】
【技術分野】
【０００１】
本発明は、被清掃面である床面から塵埃を吸引する床面吸込み具を有する電気掃除機に関するものである。
【背景技術】
【０００２】
従来から、内部に電動送風機と集塵部を有する本体と、この本体にホースを介して接続する手元ハンドル体と、この手元ハンドル体に接続する延長管と、この延長管に接続する床面吸込み具を有する電気掃除機がある。
床面吸込み具は、被清掃面である床面から塵埃を吸込む部位であり、内部に回転ブラシを収容し下方に向けて開口する吸込み室が形成されたケース体と、このケース体の後部中央に取り付けられ取り込んだ塵埃の流路となると共に、延長管と接続する接続部が形成された継手部を有する。
【０００３】
また、回転ブラシはブラシ用モーター（以下、ブラシモーター）により回転駆動されるものであり、床面吸込み具の内部には、このブラシモーターの駆動制御を行う回路基板が備えられる。
そして、継手部の吸込み側の開口は、吸込み室の中央に連通して接続し、更に、この吸込み室の側方に補助吸込み室を形成して、この補助吸込み室から継手部の側面に至るケース体を横切る流路を形成して、補助吸込み室と継手部を連通した電気掃除機がある（例えば、特許文献１参照）。
【先行技術文献】
【特許文献】
【０００４】
【特許文献１】特開２０１３−０７０８３８号公報（図４）
【発明の概要】
【発明が解決しようとする課題】
【０００５】
しかしながら、この様な床面吸込み具は、ブラシモーターや本体と回路基板とを電気的に接続するリード線が、外郭を形成するケース体を組み立てる際にケース体を構成する部品の間に挟み込んでしまうという課題がある。
【０００６】
本発明は、上記のような課題を解決する為になされたもので、組み立て時に回路基板に接続するリード線が噛み込み難い床面吸込み具を有する電気掃除機を提供することを目的とする。
【課題を解決するための手段】
【０００７】
上記の課題を解決するにはモーターで駆動する回転ブラシを有する床面吸込み具を備えた電気掃除機において、床面吸込み具は、ケースと、このケースを覆うカバーと、モーターの駆動制御を行う回路基板を有し、回路基板はケースに形成された回路基板搭載部に搭載され、回路基板搭載部は、上方に向けて開口する凹部であり、開口にカバーが設けられ、開口を覆うカバーは、ケースの上面を覆う他のカバーとは別体に構成されて、他のカバーとは独立してケースから着脱可能であるように構成すればよい。
【発明の効果】
【０００８】
本発明によれば、組み立て時に回路基板に接続するリード線が噛み込み難い床面吸込み具を有する電気掃除機を得ることができる。
【図面の簡単な説明】
【０００９】
【図１】実施の形態に係る電気掃除機の全体斜視図
【図２】実施の形態に係る床面吸込み具の側面図
【図３】実施の形態に係る床面吸込み具の上方から見た平面図
【図４】実施の形態に係る床面吸込み具の底面図
【図５】実施の形態に係る床面吸込み具の回転ブラシが外れた状態を示す底面図
【図６】図２のＹ−Ｙ断面図
【図７】図３のＸ−Ｘ断面図
【図８】実施の形態に係る床面吸込み具の分解斜視図１
【図９】実施の形態に係る床面吸込み具の分解斜視図２
【図１０】実施の形態に係る床面吸込み具の分解斜視図３
【図１１】実施の形態に係る床面吸込み具の継手部の分解斜視図
【図１２】実施の形態に係る床面吸込み具の分解斜視図（回路基板が外れた状態）
【図１３】図２のＹ−Ｙ断面図において、給電端子と回路基板とを接続するリード線Ｒを表した図
【図１４】実施の形態に係る床面吸込み具から上ケースとカバーが外れた状態において、モーターと回路基板及びスイッチと回路基板を接続するリード線Ｒを表した図
【図１５】図３のＸ−Ｘ断面図であって、（ａ）ケース体に対して継手部を寝かした状態（図２の状態）を示す図、（ｂ）ケース体に対して継手部を立てた状態を示す図
【図１６】実施の形態に係る床面吸込み具において、（ａ）第２の接続管に対して第１の接続管が右に９０度回転した状態を示す図、（ｂ）第２の接続管に対して第１の接続管が左に９０度回転した状態を示す図  （カバー７２１を外した状態で示す）
【発明を実施するための形態】
【００１０】
以下、図１〜図１６を参照して実施の形態を説明する。
まず、図１を参照して、電気掃除機１について説明する。
図１は、実施の形態における電気掃除機１を示す斜視図である。
【００１１】
図１に示すように、電気掃除機１は、本体（掃除機本体）２、ホース３、手元ハンドル体４、延長管５、床面吸込み具６を備える。
床面吸込み具６は、下向きに形成された開口から、床面上のごみ（塵埃）を空気と一緒に内部に取り込む部位である。この床面吸込み具６の吸気側の端部には、次に説明する延長管５に接続する継手部７０が設けられている。
【００１２】
次に延長管５は、後述する手元ハンドル体４に接続する集塵接続体の１つであり、全体として真直ぐな円筒状を呈する。延長管５の一端部は床面吸込み具６の継手部６ａに接続し、他端部は手元ハンドル体４に接続する。
使用者は、延長管５に設けられたボタン５ａの操作を行うことにより、床面吸込み具６を延長管５から取り外すことができる。
【００１３】
延長管５は、吸気側の端部にブラシ５ｃを備える。このブラシ５ｃは、床面吸込み具６を外した状態で被清掃面に接触させて使用するもので、延長管５の吸気側の開口周辺に移動可能である。
使用者は、延長管５の排気側の端部に設けられた伸縮ボタン５ｂを操作することにより、延長管５を伸縮させることができる。
【００１４】
ここでは、手元ハンドル体４に接続される集塵接続体の例として、延長管５について説明したが、この他に、先端が窄んだ形状に構成され狭い部分の塵埃を吸い取りやすく構成されたノズルや、先端にブラシが植毛され隙間などの塵埃を書き出しやすく構成されたブラシ等も、集塵接続体である。
また、床面吸込み具６も、延長管５に取り付けることで、間接的に手元ハンドル体４に取り付けられることから集塵接続体である。
【００１５】
次に、手元ハンドル体４は、掃除を行う時に使用者が持つ部分であり、操作体となる部位である。使用者は、手元ハンドル体４を持ち、この手元ハンドル体４を操作して、集塵接続体を被清掃面に向けて落ちている塵埃を吸引する。
例えば、本実施の形態の場合、使用者は、手元ハンドル体４を操作して、延長管５に取り付けた床面吸込み具６の位置及び向きを変える。手元ハンドル体４の吸気側の端部（吸込み側開口４１）は、延長管５の排気側端部に接続する。
使用者は、手元ハンドル４に設けられた解除ボタン４ａを操作することにより、延長管５を手元ハンドル体４から取り外すことができる。手元ハンドル体４は、吸気側の端部に、延長管５を取り外した状態で使用するためのブラシ４００を備える。
【００１６】
次に、ホース３は、要部が、可撓性を備えた蛇腹状である中空の部材からなる。ホース３の吸気側の端部は、手元ハンドル体４に接続される。ホース３は、排気側の端部は、硬質の接続部３ａを備え、この接続部３ａが本体２に接続される。
本体２は、ホース３の接続部３ａが接続し、ごみを含む空気（含塵空気）を集塵部に通すことで、空気と塵埃を分離する。この本体２は、後部に開口する排気口（図示せず）より、塵埃が取り除かれた空気（清浄空気）を排出する。空気から分離したごみは、本体２の内部に溜められる。
【００１７】
以上のように各部が接続されることで、床面吸込み具６や延長管５などの集塵接続体から、手元ハンドル体４、ホース３、そして、本体２（集塵部）へと至る一続きの風路Ｆが形成される。
【００１８】
次に、本体２は内部に、電動送風機１１、集塵部１２を備える。
電動送風機１１は、電気掃除機１に形成された風路Ｆに、吸込み側である集塵接続体から排気側である排気口に向けて本体２内部に流下する気流を発生させる。
この電動送風機１１が吸引動作を行うと、床面上のごみが空気と一緒に床面吸込み具６に吸い込まれる。床面吸込み具６に吸い込まれた含塵空気は、床面吸込み具６、延長管５、手元ハンドル体４、ホース３の各内部を通り、本体２に送られる。
【００１９】
集塵部１２は、本体２の内部に流入したごみを空気（気流）から分離する。集塵部１２は、空気から分離したごみを捕捉する。図１は、集塵部１２の一例として、紙パック式の分離装置を示している。集塵部１２として、サイクロン式の分離装置や他の方式の分離装置を採用してもよい。
【００２０】
また、本体２は、両側に大型の車輪１３ａを、下面に小型の車輪１３ｂを備える。小型の車輪１３ｂは、その向きを自在に変えることができるように取り付けられている。このため、本体２は、大型の車輪１３ａ及び小型の車輪１３ｂが床面に接触した状態で向きを変えることができる。
【００２１】
次に、本実施の形態の要部である床面吸込み具６について、図２〜図１１を参照して説明する。
床面吸込み具６は、ケース体６０と、このケース体６０の後部中央に設けられる継手部７０と、ケース体６０の内部に収容される回転ブラシ８０と、この回転ブラシを駆動するブラシモーター９１や回路基板９２やプーリー９３やベルト９４やシャフト９５からなる駆動部９０を有する。
【００２２】
ケース体６０は、下ケース６１、この下ケース６１の上面に取り付けられる上ケース６２と、上面を形成するカバー６３である右カバー６３ａ、左カバー６３ｂ、中央カバー６３ｃを有する。
【００２３】
次に、下ケース６１について説明する。
主に図４〜図６、図１０を参照すると、下ケース６１は、矩形状を成しており、下面側に内部に回転ブラシ８０を収容し下方に向けて開口する吸込み室６１ａと、上面側に後述する駆動部９０が搭載される駆動部搭載位置６１ｄが形成されている。
【００２４】
吸込み室６１ａは、下ケース６１の下面から内方に向けて凹んだ領域であり、吸込み室６１ａを形成する仕切り壁６１ｂには、第１の吸込み室開口６１Ｒと第２の吸込み室開口６１Ｌが開口している。
この第１の吸込み室開口６１Ｒと第２の吸込み室開口６１Ｌは、吸込み室６１ａの内部に吸込んだ塵埃を吸込み室６１ａから集塵部１２に向けて流下させるためのものである。
また、この第１の吸込み室開口６１Ｒと第２の吸込み室開口６１Ｌは、互いに左右中心に対称となる位置に開口している。
【００２５】
つまり、２つの吸込み室開口６１Ｒ，６１Ｌは、下ケース６１の左右中心を挟んで、所定の間隔を隔てて開口している。
尚、２つの吸込み室開口６１Ｒ，６１Ｌの間隔は、後述する継手部７０左右幅Ｒと同じか広い間隔である。また、２つの吸込み室開口６１Ｒ，６１Ｌは、吸込み室６１ａの右壁６１１ａ及び左壁６１２ａより、内側に位置している。
また、この２つの吸込み室開口６１Ｒ，６１Ｌの間の後ろ側であって左右中央となる位置に、ブラシモーター９１が設けられる駆動部搭載位置６１ｄが形成されている。
【００２６】
また、吸込み室開口６１Ｒ，６１Ｌと駆動部搭載位置６１ｄに挟まれた位置には、回路基板９２が設けられる回路基板搭載部６１ｅが形成されている。つまり、回路基板搭載部６１ｅは、床面吸込み具６の左右幅の中心に位置している。
この回路基板搭載部６１ｅは、上方に向けて開口する凹部であり、駆動部搭載位置６１ｄの前方に位置している。また、この回路基板搭載部６１ｅを形成する側壁面には、回路基板９２に接続するリード線を回路基板搭載部６１ｅの外部に導出するための導出口６１ｆが形成されている。
【００２７】
そして、回路基板搭載部６１ｅは、上方に向けて開口する開口部に中央カバー６３ｃを設けることで覆い、内部が外観から直接見えなくなる。つまり、中央カバー６３ｃは、回路基板搭載部を覆うカバーとなる。
尚、この中央カバー６３ｃは、右カバー６３ａ及び左カバー６３ｂと別体に構成されており、右カバー６３ａ及び左カバー６３ｂから独立して、下ケース６１に対して着脱することができる。
つまり、床面吸込み具６の中央カバー６３ｃを外すことにより、回路基板９２のみを床面吸込み具６の内部から取り出すことができる。
【００２８】
言い換えれば、回路基板９２と中央カバー６３ｃの取り付けを残した状態で、床面吸込み具６を組み立て、回路基板９２を回路基板搭載部６１ｅに搭載しない状態で、中央カバー６３ｃが取り付けられる開口から、回路基板９２に対してブラシモーターやスイッチ等の各電気部品のリード線及び本体と電気的に接続するリード線Ｒを床面吸込み具６の外部に出して、回路基板９２に接続したのち、これらリード線Ｒが接続された状態の回路基板９２を回路基板搭載部６１ｅに設け、中央カバー６２ｃを取り付けることができる。
尚、この中央カバー６２ｃは、左右カバー６３ａ、６３ｂと色や用いる材料を異ならせることで、意匠性を向上させることができる。
【００２９】
次に、上ケース６２について説明する。
主に、図６〜図１０を参照すると、上ケース６２は、下ケース６１の上面を被い、下ケース６１に取り付けられた際に、第１の吸込み室開口６１Ｒ、第２の吸込み室開口６１Ｌにそれぞれ対向する第１の連通開口６２Ｒ、第２の連通開口６２Ｌが開口している。この２つ連通開口６２Ｒ，６２Ｌは、左右中心に対称となる位置に形成されている。また、上ケース６２が下ケース６１に取り付けられた状態で、駆動部搭載位置６１ｄは上ケース６２に覆われる。
更に、上ケース６２の上面には、それぞれの連通開口６２Ｒ，６２Ｌと上ケース６２の上面の一部を囲むように、リブ形状の仕切り６２ｂが形成されている。
【００３０】
この仕切り６２ｂには、側方から見て上方に向けて開口する半円状の下切り欠き６２ｃが形成されている。この下切り欠き６２ｃは、２つの仕切り６２ｂ、それぞれに形成されており、左右中心を挟んで向かい合っている。
尚、この下切り欠き６２ｃが形成された一対の仕切り６２ｂは、それぞれ左右中心に対称の位置となるように形成されている。また、一対の仕切り６２ｂの間に、回路基板搭載部６１ｅが位置している。
【００３１】
次に、カバー６３は、右カバー６３ａと左カバー６３ｂと中カバー６３ｃからなる。
右カバー６３ａは、右側に位置する仕切り６２ｂから右側の下ケース６１及び上ケース６２の上面を被う。左カバー６３ｂは、左側に位置する仕切り６２ｂから左側の下ケース６１及び上ケース６２の上面を被う。
【００３２】
また、右カバー６３ａと左カバー６３ｂには、それぞれ側方から見て下方に向けて開口する半円状の上切り欠き６３１ａ，６３１ｂが形成されている。
右カバー６３ａが上ケース６２を被うと、それぞれ半円状の上切り欠き６３１ａと下切り欠き６２ｂが上下に合わさり、円形状の接続開口６ａを形成する。同様に、上切り欠き６３１ｂと下切り欠き６２ｂが上下に合わさり、円形状の接続開口６ｂを形成する。
【００３３】
更に、右カバー６３ａと上カバー６２の右側の仕切り６２ａとこの仕切り６２ａに囲まれた上カバー６２の上面に囲まれた第１の空間ＫＲが形成される。この第１の空間ＫＲは、連通開口６２ａから接続開口６ａを連通する空間となる。
また、下ケース６１の第１の吸込み室開口６１Ｒと上ケース６２の連通開口６２ａが対向することから、下ケース６１の吸込み室６１ａから第１の空間ＫＲを経て接続開口６ａに至る空間は、一続きの連通した空間となる。
【００３４】
同様に、左カバー６３ｂと上カバー６２の左側の仕切り６２ａとこの仕切り６２ａに囲まれた上カバー６２の上面に囲まれた第２の空間ＫＬが形成される。この第２の空間ＫＬは、連通開口６２ａから接続開口６ｂを連通する空間となる。
また、下ケース６１の第２の吸込み室開口６１Ｌと上ケース６２の連通開口６２ａが対向することから、下ケース６１の吸込み室６１ａから第２の空間ＫＬを経て接続開口６ｂに至る空間は、一続きの連通した空間となる。
【００３５】
次に、継手部７０について説明する。
主に図８〜図１６を参照すると、継手部７０は、第１の接続管７１と第２の接続管７２と、第１の接続管７１と第２の接続管７２の接続位置に介在するロック部材７３から構成されている。
第１の接続管７１の一端には、延長管５が接続する接続端部７１ａが形成されている。接続端部７１ａは、延長管５の内方に入り込み係合することで延長管５と接続する。
【００３６】
この接続端部７１ａには、延長管５の接続方向に突出した一対の給電端子７１１ａが設けられている。この給電端子７１１ａは、第１の接続管７１の内側と外側に延びており、第１の接続管７１の内部において、リード線Ｒが電気的に接続されている。つまり、給電端子７１１ａは、延長管５が接続された際に延長管５側の給電端子と接続することにより、回転ブラシ８０を駆動する駆動部９０へ電力を供給するためのものである。
【００３７】
また、第１の接続管７１の他端には、開口部分に第２の接続管７２と接続する接続受部７１ｂが形成されている。接続受部７１ｂは円形状に開口する部位であり、接続端部７１ａの開口と連通している。
この接続受け部７１ｂの周縁には、第１のリード線開口７１ｃが形成されている。この第１のリード線開口７１ｃは、第１の接続管７１の内部から後述する第２の接続管７２へとリード線Ｒを導出するための開口である。この第１のリード線開口７１ｃは、接続受部７１ｂに沿って、所定の幅のある開口となっている。
【００３８】
次に、第２の接続管７２は、内部中空である管体７２０とこの管体の上面を覆うカバー体７２１から構成されている。管体７２０とカバー体７２１の間には、空間部Ｋが形成されている。
管体７２０は、後端と前側の左端と右端の３方向に向けて開口した形状を成しており、後方を向く開口部分には後接続部７２ａ、右方を向く開口部分には右接続部７２Ｒ、左方を向く開口部分には左接続部７２Ｌがそれぞれ形成されている。
また、後接続部７２ａ、右接続部７２Ｒ、左接続部７２Ｌは、それぞれ筒状に突出した形状をなしており、それぞれの接続部に形成された開口は連通している。
【００３９】
また、後接続部７２ａの周縁には、第２のリード線開口７２ｍが開口している。この第２のリード線開口７２ｍは、空間部Ｋに連通しており、第１のリード線開口７１ｃから導出されたリード線Ｒを第２の接続管７２（空間部Ｋ）の内部にリード線Ｒを導入するための開口である。第２のリード線開口７２ｍは、第１の接続管７１と第２の接続管７２が接続した状態において、第１のリード線開口７１ｃと対向する。
【００４０】
また、右接続部７２Ｒには溝部７２ｈが形成されている。そしてこの溝部７２ｈの内部には、第３のリード線開口７２ｎが開口している。この第３のリード線開口７２ｎは、第２の接続管７２（空間部Ｋ）の内部からリード線Ｒを導出するための開口であり、溝部７２ｈはこのリード線Ｒを保持するための溝である。
また、第２のリード線開口７２ｍから第３のリード線開口７２ｎに至る空間部Ｋの内部には、リード線Ｒを固定するリード線固定部７２Ｐが設けられている（図１６）。
更に、第２の接続管７２（管体７２０）の内部であって、右接続部７２Ｒと左接続部７２Ｌが向かい合う位置の周囲の壁面には、継手部７０から延長管５で構成される風路Ｆの方向に向けて突出する、整流手段となる整流リブ７２ｄが設けられている。
【００４１】
このように形成された後接続部７２ａは、第１の接続管７１の接続受部７１ｂの内部に入り込み、第２の接続管７２に対して第１の接続管７１が回転自在となるように、接続される。つまり、後接続部７２ａが軸となり、接続受部７１ｂが軸受となり接続される。
このように、接続受部７１ｂの内部に後接続部７２ａが接続した状態において、両部材の間には、ロック部材７３が設けられる。
このロック部材７３は、第２の接続管７２に対して第１の接続管７１が所定の回転位置（例えば、左右方向に９０度回転した位置）まで回転すると、回転動作を抑制するロックをかけるものである。
【００４２】
尚、床面吸込み具６と延長管５と手元ハンドル体４が接続された状態で、使用者が手元ハンドル４を操作して、床面吸込み具６を床面から持ち上げた上体で、第２の接続管７２と第１の接続管７１がロックした状態が外れない程度の保持力である。
つまり、床面吸込み具６を床面に置いた状態で、使用者が手元とハンドル体４を操作して、第１の接続管７１を第２の接続管７２に対して回転させることで、容易にロックを解除することができる。
【００４３】
次に、継手部７０は、次のようにケース体６０に取り付けられる。
右接続部７２Ｒは、ケース体６０に形成される接続開口６ａの内部に入り込み、ケース体６０に対して回転自在となるように接続される。つまり、右接続部７２ｂが軸となり、接続開口６ａが軸受となり接続される。
【００４４】
同様に、左接続部７２Ｌは、ケース体６０に形成される接続開口６ｂの内部に入り込み、ケース体６０に対して回転自在となるように接続される。つまり、左接続部７２ｃが軸となり、接続開口６ｂが軸受となり接続される。
尚、上記の構造は、まず、右接続部７２ｂと左接続部７２ｃは、それぞれ上方より一対の下切り欠き６２ｃに嵌め込まれ、上方よりカバー６３を取り付けることで、組み立てられる。
【００４５】
このように、第１の接続管７１の右接続部７２ｂと左接続部７２ｃが、それぞれ接続開口６ａ，６ｂに入り込み、ケース体６０に対して、継手部７０が前後するように回転自在に接続される。つまり、右接続部７２Ｒと左接続部７２Ｌが軸と成り、接続開口６ａ，６ｂが軸受となり接続される。
また、これら接続部は、円筒形状を成しており、各接続の内側は後述する風路Ｆの一部となる。
【００４６】
この様に構成された継手管７０の内部において、一対の給電端子７１１ａそれぞれ接続したリード線Ｒは、第１の接続管７１の内部から第１のリード線開口７１ｃを通り、第２のリード線開口７２ｍを通って第２の接続管７１（空間部Ｋ）へと入り込み、第３のリード線開口７２ｎから第２の接続管７２の外部に導出されて、溝部７２ｈに導かれて、この回路基板搭載部６１ｅに形成せれた導出口６１ｆに入り込み、回路基板搭載部６１ｅに搭載された回路基板９２に接続される。
尚、リード線Ｒは、空間部Ｋ内部の第２のリード線開口７２ｍから第３のリード線開口７２ｎに至る位置に設けられたリード線固定部７２Ｐに固定される。
【００４７】
つまり、図１６を参照すると、リード線Ｒは、第２の接続管７２の内部において、第２の接続管７２に対して第１の接続管７１が回動自在に取り付けられた取り付け位置と、ケース体６０に対して継手部７０（第２の接続管７２）が回転自在に取り付けられた取り付け位置の間に固定されている。
これにより、継手管７０の前後方向及び左右方向の動きの際に、リード線Ｒの動きを規制することができる。
【００４８】
以上の様に床面吸込み具６を構成することで、床面吸込み具６から本体２へと至る塵埃を含む気流の風路Ｆは、吸込み室６１ａから継手部７０に至る区間は、２本の風路ＦＲ，ＦＬで構成され、継手部７０でこの２本の風路ＦＲ，ＦＬが合流し、１本の風路で本体２に至る形状となる。
【００４９】
つまり、風路ＦＲは、第１の吸込み室開口６１Ｒから第１の連通開口６２Ｒを通り第１の空間ＫＲに入り込み、第１の接続管７２の右接続部７２Ｒの開口から継手部７０に至る風路が形成される。
また同様に、風路ＦＬは、第２の吸込み室開口６１Ｌから第２の連通開口６２Ｌを通り第２の空間ＫＬに入り込み、第１の接続管７２の左接続部７２Ｌの開口から継手部７０に至る風路が形成される。
【００５０】
このように、左右方向の幅のある吸込み室６１ａにおいて、左右中心に対称となるように２つの吸込み室開口６１Ｒ，６１Ｌが開口しているので、吸込み室６１ａの内部各部から吸込み室開口６１Ｒ，６１Ｌへの吸引力の偏りを、より小さくすることができる。
これにより、床面吸込み具６の左右幅方向全体にわたって、塵埃の吸込み具合の隔たりを小さくすることが可能である。
特に、吸込み室６１ａを左右方向に３等分した内の左右のエリアに、それぞれ吸込み室開口を設けることで、より吸込み室６１ａ内の各部から、各吸込み室開口へと吸込む吸引力の偏りを小さくすることができる。
【００５１】
また、２つの吸込み室開口６１Ｒ，６１Ｌの間隔は、後述する継手部７０左右幅Ｒと同じか広い間隔に設けられて、各吸込み室開口から継手部７０に至る風路が形成されているので、延長管５と直線的に接続して直線の風路Ｆを構成する継手部７０に対して、大きな屈曲部が無い状態で、それぞれの風路ＦＲ，ＦＬが直接接続できる。
これにより、風路ＦＲ，ＦＬ内の圧損をより小さくすることができ、風路内の気流の流れをスムーズにすることができ、騒音などを低減することができる。
【００５２】
更に、第２の接続管７２の内部であって、右接続部７２Ｒと左接続部７２Ｌが向かい合う位置の周囲の壁面には、継手部７０から延長管５で構成される風路Ｆの方向に向けて突出する、整流リブ７２ｄが設けられている。
この整流リブ７２ｄは、継手部７０の内部に対して、左右の接続部から流れ込んだ気流を、効率よく後方に向きを変えることができる。これにより、２方向から気流が流れ込むような継手部７０であっても、内部で気流を効率よく流すことができる。
【００５３】
更に、ケース体６０に対して継手部７０を回転自在に取り付けるための軸部内部を、風路ＦＲ，ＦＬとしたので、別途風路を構成する必要が無く、軽量化・コスト低減などの効果を得られる。
【００５４】
更に、駆動部を搭載する駆動部搭載位置を、風路ＦＲ，ＦＬを構成する吸込み室開口６１Ｒ，６１Ｌの間の後ろ側であって左右中央となる位置に設けることにより、重量が重いモーターや駆動基板を床面吸込み具６の中央に位置でき、左右の床面吸込み具６の重量バランスを向上させることができると共に、風路ＦＲ，ＦＬの配置位置を確保することができる。
【００５５】
更に、回路基板９２と中央カバー６３ｃの取り付けを残した状態で、床面吸込み具６を組み立て、回路基板９２を回路基板搭載部６１ｅに搭載しない状態で、中央カバー６３ｃが取り付けられる開口から、回路基板９２に対してブラシモーターやスイッチ等の各電気部品のリード線及び本体と電気的に接続するリード線Ｒを床面吸込み具６の外部に出して、回路基板９２に接続したのち、これらリード線Ｒが接続された状態の回路基板９２を回路基板搭載部６１ｅに設け、中央カバー６２ｃを取り付けることができる。
これにより、床面吸込み具６の各部を組み立てたのち、最後に回路基板９２にリード線の接続を行えるので、カバーの取り付けの際に生じやすい、組み立て時のリード線の噛み込みを防止することができる（図１２参照）。
【００５６】
更に、中央カバー６２ｃは、左右カバー６３ａ、６３ｂと色や用いる材料を異ならせることで、意匠性を向上させることができる。
【００５７】
更に、回路基板搭載部６１ｅは、左右の吸込み室開口６１Ｒ，６１Ｌと駆動部搭載位置６１ｄに挟まれた位置には位置している。つまり、床面吸込み具６の中心位置に近い位置となっている。
これにより、床面吸込み具６の内部を通る各種電子部品のリード線を床面吸込み具６の中央部分に集めることができ、回路基板９２に接続しやすい（図１３、図１４参照）。
【００５８】
更に、回路基板搭載部６１ｅから継手部７０（第２の継手管７２）に至る過程のリード線Ｒを、継手管７２が前後に回動するときの軸となる右接続部７２Ｒに形成した溝部７２ｈに通すように構成したので、軸の回転動作に対してリード線が滑らかに動くことができる（図１５参照）。）
【符号の説明】
【００５９】
１  電気掃除機、２  本体、３  ホース、４  手元ハンドル体、５  延長管（集塵接続体）、６  床面吸込み具。
【図１】
2015221150.tif 000003
【図２】
2015221150.tif 000004
【図３】
2015221150.tif 000005
【図４】
2015221150.tif 000006
【図５】
2015221150.tif 000007
【図６】
2015221150.tif 000008
【図７】
2015221150.tif 000009
【図８】
2015221150.tif 000010
【図９】
2015221150.tif 000011
【図１０】
2015221150.tif 000012
【図１１】
2015221150.tif 000013
【図１２】
2015221150.tif 000014
【図１３】
2015221150.tif 000015
【図１４】
2015221150.tif 000016
【図１５】
2015221150.tif 000017
【図１６】
2015221150.tif 000018